(57)【要約】【課題】操作性を向上できる入力装置を提供する。【解決手段】入力装置１００は、表示部１２０と、タッチパネル１３０と、制御部１１０とを備える。表示部１２０は、表示面１２０Ａを有する。タッチパネル１３０は、表示面１２０Ａに対する指Ｆの接触を検出する。制御部１１０は、複数の記号が対応付けられている第１キー１を表示部１２０に表示させる。第１キー１は、複数の記号のうちの第１記号１Ａを含む。第１キー１上での接触の検出に応じて、制御部１１０は、第２キー２を表示部１２０に表示させる。第２キー２は、複数の記号のうちの第２記号２Ａを含む。第２キー２の最下部２Ｂは、第１キー１の最下部１Ｂよりも上側に位置する。第２キー２の最下部２Ｂは、第２記号２Ａの下方に位置する。第１キー１の最下部１Ｂは、第１記号１Ａの下方に位置する。【選択図】図２
2017204760.tif 000002
【特許請求の範囲】
【請求項１】
表示面を有する表示部と、
前記表示面に対する被検出物の接触を検出する検出部と、
複数の記号が対応付けられている第１キーを前記表示部に表示させる制御部と
を備え、
前記第１キーは、前記複数の記号のうちの第１記号を含み、
前記第１キー上での前記接触の検出に応じて、前記制御部は、第２キーを前記表示部に表示させ、
前記第２キーは、前記複数の記号のうちの第２記号を含み、
前記第２キーの最下部は、前記第１キーの最下部よりも上側に位置し、
前記第２キーの前記最下部は、前記第２記号の下方に位置し、
前記第１キーの前記最下部は、前記第１記号の下方に位置する、入力装置。
【請求項２】
前記第２キーは、複数であり、
前記複数の第２キーのそれぞれの中心から前記第１キーの中心までの距離は、等しい、請求項１に記載の入力装置。
【請求項３】
前記制御部は、前記被検出物の前記表示面からの離間の検出に応じて、前記離間の検出位置に位置する前記第１キーまたは前記第２キーを選択する、請求項１または請求項２に記載の入力装置。
【請求項４】
前記制御部は、
第３記号を含む第３キーを前記表示部に表示させ、
前記第３キー上での前記接触の検出に応じて、前記第３記号に代えて第４記号を前記第３キーに含ませるとともに、前記第３記号を含む第４キーを前記表示部に表示させ、
前記被検出物の前記表示面からの離間の検出に応じて、前記離間の検出位置に位置する前記第３キーまたは前記第４キーを選択し、
前記第３キー及び前記第４キーのうち選択されたキーに対応して、前記第１キーに対応付けられている前記複数の記号を、前記複数の記号と異なる複数の記号に切り替え、
前記第４キーの最下部は、前記第３キーの最下部よりも上側に位置する、請求項１から請求項３のいずれか１項に記載の入力装置。
【請求項５】
前記制御部は、前記選択されたキーに対応して、前記第１キーに対応付けられている前記複数の記号の字体を全角又は半角に切り替える、請求項４に記載の入力装置。
【請求項６】
前記制御部は、前記選択されたキーに対応して、前記第１キーに対応付けられている前記複数の記号の文字体系を切り替える、請求項４または請求項５に記載の入力装置。
【請求項７】
前記第１記号及び前記第２記号のうちの少なくとも１つの記号は、濁点を有する音節文字又は半濁音を有する音節文字を含む、請求項１から請求項６のいずれか１項に記載の入力装置。
【請求項８】
前記第１記号及び前記第２記号のうちの少なくとも１つの記号は開き括弧を含み、
前記制御部は、
第５キーを前記表示部に表示させ、
前記第１キー及び前記第２キーのうち前記開き括弧を含むキーが選択されたことに応じて、前記第５キーに前記開き括弧に対応する閉じ括弧を対応づけ、
前記第５キー上での前記接触の検出に応じて、前記閉じ括弧を含む第６キーを前記表示部に表示させ、
前記第６キーの最下部は、前記第５キーの最下部よりも上側に位置する、請求項１から請求項７のいずれか１項に記載の入力装置。
【請求項９】
前記表示面は、第１領域と第２領域とを含み、
前記表示部は、カーソルを含む画像を表示するとともに、前記第１領域に前記第１キーを表示し、
前記カーソルが前記第１領域内に位置する場合、前記制御部は、前記カーソルが前記第２領域に位置するように、前記画像を前記表示部に表示させる、請求項１から請求項８のいずれか１項に記載の入力装置。
【請求項１０】
表示部の表示面に対する被検出物の接触を検出する手順と、
複数の記号が対応付けられている第１キーを前記表示部に表示させる手順と、
前記第１キー上での前記接触の検出に応じて、第２キーを前記表示部に表示させる手順と、
を含み、
前記第１キーは、前記複数の記号のうちの第１記号を含み、
前記第２キーは、前記複数の記号のうちの第２記号を含み、
前記第２キーの最下部は、前記第１キーの最下部よりも上側に位置し、
前記第２キーの前記最下部は、前記第２記号の下方に位置し、
前記第１キーの前記最下部は、前記第１記号の下方に位置する、表示方法。
【発明の詳細な説明】
【技術分野】
【０００１】
本発明は、入力装置及び表示方法に関する。
【背景技術】
【０００２】
近年、表示部にソフトウェアキーボードを表示させる入力装置が普及している。特許文献１に記載の携帯電子機器（入力装置）では、タッチパネルの表示面に、入力キーを備えるソフトウェアキーボードが表示される。制御部は、タッチセンサによる検出結果に基づいて、入力キーに対するタッチを検出した後に、入力キーに対して割り当てられている各文字とフリック方向との関係を示すフリックガイドを表示させる。そして、タッチ操作におけるタッチ位置に基づいて、フリック方向が判定され、文字が入力される。
【先行技術文献】
【特許文献】
【０００３】
【特許文献１】特開２０１４−１１６７２６号公報
【発明の概要】
【発明が解決しようとする課題】
【０００４】
しかしながら、特許文献１の入力装置では、タッチ操作を行うことによって、ユーザーの指がフリックガイドを遮蔽する場合があり、操作性が悪い。
【０００５】
本発明は、上記課題に鑑みてなされたものであり、操作性を向上できる入力装置及び入力方法を提供することを目的としている。
【課題を解決するための手段】
【０００６】
本発明の第１の観点によれば、入力装置は、表示部と、検出部と、制御部とを備える。表示部は、表示面を有する。検出部は、前記表示面に対する被検出物の接触を検出する。制御部は、複数の記号が対応付けられている第１キーを前記表示部に表示させる。前記第１キーは、前記複数の記号のうちの第１記号を含む。前記第１キー上での前記接触の検出に応じて、前記制御部は、第２キーを前記表示部に表示させる。前記第２キーは、前記複数の記号のうちの第２記号を含む。前記第２キーの最下部は、前記第１キーの最下部よりも上側に位置する。前記第２キーの前記最下部は、前記第２記号の下方に位置する。前記第１キーの前記最下部は、前記第１記号の下方に位置する。
【０００７】
本発明の第２の観点によれば、表示方法は、表示部の表示面に対する被検出物の接触を検出する手順と、複数の記号が対応付けられている第１キーを前記表示部に表示させる手順と、前記第１キー上での前記接触の検出に応じて、第２キーを前記表示部に表示させる手順とを含む。前記第１キーは、前記複数の記号のうちの第１記号を含む。前記第２キーは、前記複数の記号のうちの第２記号を含む。前記第２キーの最下部は、前記第１キーの最下部よりも上側に位置する。前記第２キーの前記最下部は、前記第２記号の下方に位置する。前記第１キーの前記最下部は、前記第１記号の下方に位置する。
【発明の効果】
【０００８】
本発明によれば、操作性を向上できる。
【図面の簡単な説明】
【０００９】
【図１】本発明の実施形態に係る入力装置の構成図である。
【図２】（ａ）（ｂ）本発明の実施形態に係る入力装置が実行する第２キー表示制御の第１の例を示す図である。
【図３】（ａ）（ｂ）本発明の実施形態に係る入力装置が実行する第２キー表示制御の第２の例を示す図である。
【図４】本発明の実施形態に係る第２キー表示制御方法を示すフローチャートである。
【図５】（ａ）〜（ｃ）本発明の実施形態に係る入力装置が実行する第４キー表示制御の第１の例を示す図である。
【図６】（ａ）〜（ｃ）本発明の実施形態に係る入力装置が実行する第４キー表示制御の第２の例を示す図である。
【図７】（ａ）〜（ｃ）本発明の実施形態に係る入力装置が実行する第４キー表示制御の第３の例を示す図である。
【図８】本発明の実施形態に係る入力装置が実行する第６キー表示制御を示す図である。
【図９】（ａ）〜（ｃ）本発明の実施形態に係る入力装置が実行する画像表示制御を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
（実施形態）
図１及び図２を参照して、本発明の実施形態に係る入力装置１００について説明する。図１は、入力装置１００の構成図である。図２（ａ）及び図２（ｂ）は、入力装置１００が実行する第２キー表示制御を示す図である。図１に示すように、入力装置１００は、制御部１１０と、表示部１２０と、検出部としてのタッチパネル１３０とを備える。制御部１１０は、例えば、ＣＰＵ（Ｃｅｎｔｒａｌ  Ｐｒｏｃｅｓｓｉｎｇ  Ｕｎｉｔ）である。
【００１２】
図２（ａ）に示すように、表示部１２０は、表示面１２０Ａを有する。タッチパネル１３０は、表示面１２０Ａに対する被検出物の接触を検出する。以下、本明細書において、被検出物として、入力装置１００のユーザーの指Ｆを例に挙げて説明する。
【００１３】
制御部１１０は、第１キー１を表示部１２０に表示させる。第１キー１には、複数の記号が対応づけられている。第１キー１は、第１キー１に対応づけられている複数の記号のうちの第１記号１Ａを含む。第１キー１の最下部１Ｂは、第１記号１Ａの下方に位置する。ここで、表示部１２０が鉛直方向に沿って延びる場合、第１記号１Ａの下方とは、重力方向における第１記号１Ａより下の方を示す。また、表示部１２０が鉛直方向に対して傾く方向に沿って延びている場合、第１記号１Ａの下方とは、入力装置１００のユーザーから見て第１記号１Ａより手元に近い方を示す。
【００１４】
図２（ｂ）に示すように、第１キー１上での接触の検出に応じて、制御部１１０は、第２キー２を表示部１２０に表示させる。第２キー２は、第１キー１に対応付けられている複数の記号のうちの第２記号２Ａを含む。第２キー２の最下部２Ｂは、第２記号２Ａの下方に位置している。第２キー２の最下部２Ｂは、第１キー１の最下部１Ｂよりも上側に位置している。
【００１５】
以上、図１及び図２を参照して説明したように、本実施形態によれば、第２キー２が指Ｆによって遮蔽されることを防止できる。その結果、操作性が向上する。以下、図１〜図９を参照して、入力装置１００について詳細に説明する。
【００１６】
まず、図１及び図２を参照して、第１キー１にひらがなが対応づけられている場合の入力装置１００が実行する第２キー表示制御について説明する。図２（ａ）に示すように、制御部１１０は、キーボード１０及び入力フォーム１２１を表示部１２０に表示させる。キーボード１０は、複数の第１キー１を含む。複数の第１キー１は、キーボード１０が延びる方向に沿って２段に配列されている。入力フォーム１２１は、キーボード１０の上方に位置する。
【００１７】
キーボード１０は、第１キー１１（第１キー１）を含む。第１キー１１には、複数の記号として、「あ」「い」「う」「え」及び「お」が対応付けられている。第１キー１１は、第１キー１１に対応付けられている複数の記号のうちの第１記号１１Ａとして、「あ」を含む。第１キー１１の最下部１１Ｂは、第１記号１１Ａの下方に位置する。
【００１８】
図２（ｂ）に示すように、第１キー１１上での接触の検出に応じて、制御部１１０は、第２キー２１（第２キー２）、第２キー２２（第２キー２）、第２キー２３（第２キー２）、及び第２キー２４（第２キー２）を表示部１２０に表示させる。第２キー２１は、第１キー１１に対応付けられている複数の記号のうちの第２記号２１Ａとして、「い」を含む。以下、第２キー２１と同様にして、第２キー２２は、第２記号２２Ａとして「う」を含む。第２キー２３は、第２記号２３Ａとして「え」を含む。第２キー２４は、第２記号２４Ａとして「お」を含む。
【００１９】
第２キー２１の最下部２１Ｂは、第２記号２１Ａの下方に位置する。第２キー２２の最下部２２Ｂは、第２記号２２Ａの下方に位置する。第２キー２３の最下部２３Ｂは、第２記号２３Ａの下方に位置する。第２キー２４の最下部２４Ｂは、第２記号２４Ａの下方に位置する。
【００２０】
第２キー２１の最下部２１Ｂは、第１キー１１の最下部１１Ｂよりも上側に位置する。また、第２キー２２の最下部２２Ｂは、第１キー１１の最下部１１Ｂよりも上側に位置する。さらに、第２キー２３の最下部２３Ｂは、第１キー１１の最下部１１Ｂよりも上側に位置する。さらに、第２キー２４の最下部２４Ｂは、第１キー１１の最下部１１Ｂよりも上側に位置する。
【００２１】
また、図２（ａ）に示すように、キーボード１０は、第１キー１２（第１キー１）をさらに含む。第１キー１２には、複数の記号として、「。」「、」及び「ー」が対応付けられている。第１キー１２は、第１キー１２に対応付けられている複数の記号のうちの第１記号１２Ａとして「。」、第２記号２５Ａとして「、」、及び第２記号２６Ａとして「ー」を含む。第１キー１２の最下部１２Ｂは、第１記号１２Ａの下方に位置する。
【００２２】
図２（ｂ）に示すように、第１キー１２上での接触の検出に応じて、制御部１１０は、第２キー２５（第２キー２）、及び第２キー２６（第２キー２）を表示部１２０に表示させる。制御部１１０は、第１記号１２Ａ、第２記号２５Ａ、及び第２記号２６Ａに代えて、第１記号１２Ａを第１キー１２に含ませる。第２キー２５は、第２記号２５Ａを含む。第２キー２６は、第２記号２６Ａを含む。第２キー２５の最下部２５Ｂは、第２記号２５Ａの下方に位置する。第２キー２６の最下部２６Ｂは、第２記号２６Ａの下方に位置する。第２キー２５の最下部２５Ｂ及び第２キー２６の最下部２６Ｂは、それぞれ、第１キー１２の最下部１２Ｂより上側に位置する。
【００２３】
制御部１１０は、指Ｆの表示面１２０Ａからの離間の検出に応じて、離間の検出位置に位置する第１キー１又は第２キー２を選択する。制御部１１０は、選択したキーに含まれる第１記号１Ａ又は第２記号２Ａが入力フォーム１２１に含まれるように、入力フォーム１２１を表示部１２０に表示させる。具体的には、第１キー１１を接触する指Ｆが表示面１２０Ａから離間することによって、制御部１１０は、離間の検出位置に位置する第１キー１１を選択する。そして、制御部１１０は、選択された第１キー１１に含まれる第１記号１１Ａが入力フォーム１２１に含まれるように、入力フォーム１２１を表示部１２０に表示させる。
【００２４】
第１記号１Ａ及び第２記号２Ａのうちの少なくとも１つの記号は、濁点を有する音節文字又は半濁音を有する音節文字を含む。すなわち、第１キー１及び第２キー２のうちの少なくとも１つのキーには、濁点を有する音節文字又は半濁音を有する音節文字が対応付けられている。具体的には、キーボード１０は、「が〜ご」、「ざ〜ぞ」、「だ〜ど」、「ば〜ぼ」、及び「ぱ〜ぽ」のうちの少なくとも１つが対応づけられた第１キー１又は第２キー２を含む。
【００２５】
また、第１記号１Ａ又は第２記号２Ａのうちの少なくとも１つの記号は、捨て仮名を示す記号を含む。すなわち、第１キー１及び第２キー２のうちの少なくとも１つのキーには、捨て仮名を示す記号が対応付けられている。捨て仮名を示す記号は、例えば、「ゃ」「ゅ」「ょ」及び「っ」である。具体的には、キーボード１０は、「ゃ」「ゅ」「ょ」及び「っ」のうちの少なくとも１つが対応づけられた第１キー１又は第２キー２を含む。
【００２６】
以上、図１及び図２を参照して説明したように、本実施形態によれば、指Ｆの表示面１２０Ａからの離間の検出に応じて、離間の検出位置に位置する第１キー１または第２キー２が選択される。従って、入力装置１００のユーザーは、表示面１２０Ａから指Ｆを離すだけで第１キー１又は第２キー２を選択できる。その結果、入力装置１００のユーザーは、簡易な操作によって所望の記号を選択でき、操作性が向上する。
【００２７】
また、本実施形態によれば、第１記号１Ａ又は第２記号２Ａのうちの少なくとも１つの記号は、濁点を有する音節文字又は半濁音を有する音節文字を含む。従って、第１キー１及び第２キー２と異なるキーを接触することなく、濁点を有する音節文字又は半濁音を有する音節文字を選択できる。その結果、入力装置１００のユーザーは、簡易な操作によって、濁点を有する音節文字を示す記号又は半濁音を有する音節文字を示す記号を入力でき、操作性が向上する。第１キー１及び第２キー２と異なるキーは、例えばシフトキーである。
【００２８】
さらに、本実施形態によれば、第１記号１Ａ又は第２記号２Ａのうちの少なくとも１つの記号は、捨て仮名を示す記号を含む。従って、第１キー１及び第２キー２と異なるキーを接触することなく、捨て仮名を示す記号を選択できる。その結果、入力装置１００のユーザーは、簡易な操作によって、捨て仮名を示す記号を入力でき、操作性が向上する。
【００２９】
さらに、本実施形態によれば、キーボード１０に含まれる複数の第１キー１は、２段に配列されている。従って、ＪＩＳ配列のキーボードよりもキーボード１０を縮小できる。なお、ＪＩＳ配列のキーボードには、ひらがなが対応づけられたキーが４段に配列されている。
【００３０】
次に、図１及び図３を参照して、第１キー１にアルファベットが対応づけられている場合の入力装置１００が実行する第２キー表示制御について説明する。図３（ａ）及び図３（ｂ）は、入力装置１００が実行する第２キー表示制御を示す図である。
【００３１】
キーボード１０は、第１キー１５（第１キー１）を含む。第１キー１５には、複数の記号として、「ａ」「Ａ」「ｂ」及び「Ｂ」が対応付けられている。第１キー１５に対応づけられている複数の記号は、それぞれ、半角である。第１キー１５は、第１キー１５に対応づけられている複数の記号のうちの第１記号１５Ａとして「ａ」、及び第２記号２８Ａとして「ｂ」を含む。
【００３２】
図３（ｂ）に示すように、第１キー１５上での接触の検出に応じて、制御部１１０は、第２キー２７（第２キー２）、第２キー２８（第２キー２）及び第２キー２９（第２キー２）を表示部１２０に表示させる。制御部１１０は、第１記号１５Ａ、及び第２記号２８Ａに代えて、第１記号１５Ａを第１キー１５に含ませる。第２キー２７は、第２記号２７Ａとして「Ａ」を含む。第２キー２８は、第２記号２８Ａを含む。第２キー２９は、第２記号２９Ａとして「Ｂ」を含む。
【００３３】
本実施形態において、第２キー２は、複数である。複数の第２キー２のそれぞれの中心から第１キー１５の中心１５Ｃまでの距離は等しい。具体的には、第２キー２７の中心２７Ｃから第１キー１５の中心１５Ｃまでの距離Ｌ１と、第２キー２８の中心２８Ｃから中心１５Ｃまでの距離Ｌ２と、第２キー２９の中心２９Ｃから中心１５Ｃまでの距離Ｌ３とは、等しい。すなわち、第２キー２７、第２キー２８、及び第２キー２９は、第１キー１５に対して扇状に配置されている。なお、第２キー２７の中心２７Ｃは、第２キー２７の略中央部を示す。また、第２キー２８の中心２８Ｃは、第２キー２８の略中央部を示す。さらに、第２キー２９の中心２９Ｃは、第２キー２９の略中央部を示す。さらに、第１キー１５の中心１５Ｃは、第１キー１５の略中央部を示す。
【００３４】
以上、図１及び図３を参照して説明したように、本実施形態によれば、複数の第２キー２のそれぞれの中心から第１キー１までの中心までの距離は、等しい。従って、表示部１２０に表示される複数の第２キー２の視認性を向上させることができる。その結果、入力装置１００の操作性が向上する。また、表示部１２０に表示される複数のキーのデザイン性を向上させることができる。
【００３５】
次に、図１、図２、及び図４を参照して、入力装置１００が実行する第２キー表示制御方法について説明する。図４は、第２キー表示制御方法を示すフローチャートである。第２キー表示制御方法は、第１キー１上での接触の検出に応じて、第２キー２を表示部１２０に表示させる。第２キー表示制御方法は、ステップＳ１０〜ステップＳ３０を実行することによって、第２キー２を表示部１２０に表示させる。具体的には次の通りである。
【００３６】
ステップＳ１０において、制御部１１０は、複数の記号が対応づけられている第１キー１を表示部１２０に表示させる。第１キー１は、第１キー１に対応づけられている複数の記号のうちの第１記号１Ａを含む。第１キー１の最下部１Ｂは、第１記号１Ａの下方に位置する。
【００３７】
ステップＳ２０において、タッチパネル１３０は、表示部１２０の表示面１２０Ａに対する指Ｆの接触を検出する。第１キー１上での接触の検出に応じて、すなわち、タッチパネル１３０が第１キー１上での指Ｆの接触を検出することに応じて、処理はステップＳ３０に進む。
【００３８】
ステップＳ３０において、制御部１１０は、第２キー２を表示部１２０に表示させる。第２キー２は、複数の記号のうちの第２記号２Ａを含む。第２キー２の最下部２Ｂは、第２記号２Ａの下方に位置する。第２キー２の最下部２Ｂは、第１キー１の最下部１Ｂよりも上側に位置する。
【００３９】
以上、図１〜図４を参照して説明したように、本実施形態によれば、指Ｆによって、表示部１２０に表示される第２キー２が遮蔽されることを防止できる。その結果、第２キー２の視認性が向上し、入力装置１００の操作性が向上する。
【００４０】
次に、図１及び図５を参照して、第１キー１にカタカナが対応づけられている場合の入力装置１００が実行する第４キー表示制御について説明する。図５（ａ）〜図５（ｃ）は、入力装置１００が実行する第４キー表示制御を示す図である。
【００４１】
図５（ａ）に示すように、キーボード１０は、第３キー３１（第３キー３）及び第１キー１３（第１キー１）を含む。すなわち、制御部１１０は、第３キー３１及び第１キー１３を表示部１２０に表示させる。第３キー３１には、複数の記号として、「半角」及び「全角」が対応付けられている。第３キー３１は、第３キー３１に対応づけられている複数の記号のうちの第３記号３１Ａとして「全角」を含む。
【００４２】
図５（ｂ）に示すように、制御部１１０は、第３キー３１上での接触の検出に応じて、第３記号３１Ａに代えて第４記号４１Ａとして「全角」を第３キー３１に含ませるとともに、第４キー４１（第４キー４）、及び第４キー４２（第４キー４）を表示部１２０に表示させる。第３キー３１の最下部３１Ｂは、第４記号４１Ａの下方に位置する。第４キー４１は、第３記号３１Ａを含む。第４キー４２は、第４記号４２Ａとして「半角」を含む。第４キー４１の最下部４１Ｂは、第３記号３１Ａの下方に位置する。第４キー４２の最下部４２Ｂは、第３記号３２Ａの下方に位置する。第４キー４１の最下部４１Ｂ及び第４キー４２の最下部４２Ｂは、それぞれ、第３キー３１の最下部３１Ｂよりも上側に位置する。
【００４３】
制御部１１０は、指Ｆの表示面１２０Ａからの離間の検出に応じて、離間の検出位置に位置する第３キー３又は第４キー４を選択する。そして、制御部１１０は、第３キー３及び第４キー４のうち選択されたキーに対応して、第１キー１に対応付けられている複数の記号を、第１キー１に対応付けられている複数の記号と異なる複数の記号に切り替える。例えば、制御部１１０は、選択されたキーに対応して、第１キー１に対応づけられている複数の記号の字体を全角又は半角に切り替える。以下、具体例を挙げて説明する。
【００４４】
本実施形態において、離間の検出に応じて選択されたキーが「全角」を示す記号を含む場合、制御部１１０は、第１キー１に対応づけられている複数の記号の字体を、全角に切り替える。一方、離間の検出に応じて選択されたキーが「半角」を示す記号を含む場合、制御部１１０は、第１キー１に対応づけられている複数の記号の字体を、半角に切り替える。具体的には、図５（ｂ）に示すように、制御部１１０は、指Ｆの表示面１２０Ａからの離間の検出位置に位置する第３キー３１を選択する。第３キー３１は、「半角」を示す記号を含んでいる。従って、図５（ｃ）に示すように、制御部１１０は、第１キー１に対応づけられている複数の記号の字体を、半角に切り替える。例えば、制御部１１０は、第１記号１３Ａとしての全角の「マ」に代えて、第１記号１４Ａとしての半角の「マ」を第１キー１３に含ませる。
【００４５】
次に、図１及び図６を参照して、第１キー１にアルファベットが対応づけられている場合の入力装置１００が実行する第４キー表示制御について説明する。図６（ａ）〜図６（ｃ）は、入力装置１００が実行する第４キー表示制御を示す図である。図６に示す入力装置１００は、図５に示す入力装置１００の第１キー１にカタカナが対応付けられている点に代えて、第１キー１にアルファベットが対応づけられている点を除いて、図５に示す入力装置１００と同様な構成を有する。従って、重複部分については説明を省略する。
【００４６】
図６（ａ）に示すように、キーボード１０は、第３キー３２（第３キー３）及び第１キー１５（第１キー１）を含む。第３キー３２には、複数の記号として、「半角」及び「全角」が対応付けられている。第３キー３２は、第３キー３２に対応づけられている複数の記号のうちの第３記号３２Ａとして「全角」を含む。第１キー１５は、第１記号１５Ａとして全角の「ｎ」を含む。
【００４７】
図６（ｂ）に示すように、制御部１１０は、第３キー３２上での接触の検出に応じて、第３記号３２Ａに代えて第４記号４３Ａとして「全角」を第３キー３２に含ませるとともに、第４キー４３（第４キー４）、及び第４キー４４（第４キー４）を表示部１２０に表示させる。第４キー４３は、第３記号３２Ａを含む。第４キー４４は、第４記号４４Ａとして「半角」を含む。
【００４８】
図６（ｃ）に示すように、制御部１１０は、指Ｆの表示面１２０Ａからの離間の検出に応じて、離間の検出位置に位置する第３キー３２を選択する。そして、制御部１１０は、第３キー３２に対応して、第１キー１に対応付けられている複数の記号の字体を半角に切り替える。具体的には、制御部１１０は、第１記号１５Ａに代えて、第１記号１６Ａとしての半角の「ｎ」を第１キー１５に含ませる。
【００４９】
以上、図１、図５及び図６を参照して説明したように、本実施形態によれば、第４キー４の最下部４１Ｂ又は最下部４２Ｂは、第３キー３の最下部３１Ｂよりも上側に位置する。従って、第４キー４が指Ｆによって遮蔽されることを防止できる。その結果、操作性が向上する。
【００５０】
また、本実施形態によれば、第３キー３上での接触の検出に応じて、第３記号３１Ａに代えて第４記号４２Ａを第３キー３に含ませる。従って、入力装置１００のユーザーは、表示面１２０Ａを指Ｆで接触するだけで、第１キー１に対応づけられている複数の記号のうち、第１キー１に含まれていない記号を表示部１２０に表示させることができる。その結果、入力装置１００のユーザーは、簡易な操作によって第１キー１に含まれていない記号を視認できるため、操作性が向上する。
【００５１】
さらに、本実施形態によれば、指Ｆの表示面１２０Ａからの離間の検出に応じて、離間の検出位置に位置する第３キー３又は第４キー４が選択される。従って、入力装置１００のユーザーは、表示面１２０Ａから指Ｆを離すだけで第３キー３又は第４キー４を選択できる。その結果、入力装置１００のユーザーは、簡易な操作によって第１キー１に対応付けられている複数の記号の字体を切り替えることができる、操作性が向上する。
【００５２】
さらに、本実施形態によれば、入力装置１００のユーザーは、表示面１２０Ａから指Ｆを離すだけで、第１キー１に対応づけられている複数の記号の字体を全角又は半角に切り替えることができる。その結果、入力装置１００のユーザーは、簡易な操作によって第１キー１に対応付けられている複数の記号の字体を切り替えることができ、操作性が向上する。
【００５３】
次に、図１及び図７を参照して、第１キー１にアルファベットが対応づけられている場合の入力装置１００が実行する第４キー表示制御について説明する。図７（ａ）〜図７（ｃ）は、入力装置１００が実行する第４キー表示制御を示す図である。図７に示す入力装置１００は、図５に示す入力装置１００の第１キー１にカタカナが対応付けられている点に代えて、第１キー１にアルファベットが対応づけられている点を除いて、図５に示す入力装置１００と同様な構成を有する。従って、重複部分については説明を省略する。
【００５４】
図７（ａ）に示すように、キーボード１０は、第３キー３４（第３キー３）及び第１キー１７（第１キー１）を含む。第３キー３４には、複数の記号として、「数・記」「かな」「カナ」「ローマ」及び「英」が対応付けられている。第３キー３４は、第３キー３４に対応づけられている複数の記号のうちの第３記号３４Ａとして「英」を含む。
【００５５】
図７（ｂ）に示すように、制御部１１０は、第３キー３４上での接触の検出に応じて、第３記号３４Ａに代えて第４記号４８Ａとして「数・記」を第３キー３４に含ませるとともに、第４キー４５（第４キー４）、第４キー４６（第４キー４）、第４キー４７（第４キー４）、及び第４キー４８（第４キー４）を表示部１２０に表示させる。第４キー４５は、第４記号４５Ａとして「かな」を含む。第４キー４６は、第４記号４６Ａとして「カナ」を含む。第４キー４７は、第４記号４７Ａとして「ローマ」を含む。第４キー４８は、第３記号３４Ａを含む。
【００５６】
制御部１１０は、指Ｆの表示面１２０Ａからの離間の検出に応じて、離間の検出位置に位置する第３キー３４、第４キー４５、第４キー４６、第４キー４７、又は第４キー４８を選択する。そして、制御部１１０は、第３キー３４、第４キー４５、第４キー４６、第４キー４７、及び第４キー４８のうち選択されたキーに対応して、第１キー１に対応づけられている複数の記号の文字体系を切り替える。以下、具体例を挙げて説明する。
【００５７】
本実施形態において、第４キー４５〜４８のうち、選択されたキーが「数・記」を含む場合、制御部１１０は、第１キー１に対応づけられている複数の記号の文字体系を、数字又は記号に切り替える。また、選択されたキーが「かな」を含む場合、制御部１１０は、第１キー１に対応づけられている複数の記号の文字体系を、ひらがなに切り替える。さらに、選択されたキーが「カナ」を含む場合、制御部１１０は、第１キー１に対応づけられている複数の記号の文字体系を、カタカナに切り替える。さらに、選択されたキーが「ローマ」を含む場合、制御部１１０は、第１キー１に対応づけられている複数の記号の文字体系を、ローマ字に切り替える。さらに、選択されたキーが「英」を含む場合、制御部１１０は、第１キー１に対応づけられている複数の記号の文字体系を、アルファベットに切り替える。
【００５８】
具体的には、図７（ｂ）に示すように、制御部１１０は、指Ｆの表示面１２０Ａからの離間の検出位置に位置する第３キー３４を選択する。第３キー３４は、「数・記」を示す記号を含んでいる。従って、図７（ｃ）に示すように、制御部１１０は、第１キー１に対応づけられている複数の記号の文字体系を、数字又は記号に切り替える。例えば、制御部１１０は、第１記号１７Ａとしてのアルファベットの「ｈ」に代えて、第１記号１８Ａとしての数字の「４」を第１キー１７に含ませる。
【００５９】
以上、図１及び図７を参照して説明したように、本実施形態によれば、指Ｆの表示面１２０Ａからの離間の検出に応じて、離間の検出位置に位置する第３キー３又は第４キー４が選択される。従って、入力装置１００のユーザーは、表示面１２０Ａから指Ｆを離すだけで第３キー３又は第４キー４を選択できる。その結果、入力装置１００のユーザーは、簡易な操作によって第１キー１に対応付けられている複数の記号の文字体系を切り替えることができ、操作性が向上する。
【００６０】
次に、図１、図７（ｃ）及び図８を参照して、入力装置１００が実行する第６キー表示制御について説明する。図８は、入力装置１００が実行する第６キー表示制御を示す図である。図７（ｃ）に示すように、キーボード１０は、第５キー５及び第１キー１９（第１キー）を含む。すなわち、制御部１１０は、第５キー５及び第１キー１９を表示部１２０に表示させる。図７（ｃ）に示す第５キー５には、複数の記号として、全角の空白記号、半角の空白記号、及び「変換」が対応づけられている。第５キー５は、本実施形態において、スペースキーである。また、図８に示すように、キーボード１０は、第１キー１及び第５キー５を含む。すなわち、制御部１１０は、第１キー１及び第５キー５を表示部１２０に表示させる。図８に示すキーボード１０の第１キー１には、カタカナが対応づけられている。制御部１１０は、第１キー１に対応付けられている記号を切り替えるとき、第５キー５に対応づけられている複数の記号を切り替えない。従って、図８に示す第５キーは、図７（ｃ）に示す第５キー５と同様に、複数の記号として、全角の空白記号、半角の空白記号、及び「変換」が対応づけられている。
【００６１】
第１記号１Ａ及び第２記号２Ａ（図２参照）のうちの少なくとも１つの記号は、開き括弧を含む。すなわち、第１キー１及び第２キー２のうちの少なくとも１つのキーは、開き括弧を含む。制御部１１０は、第１キー１及び第２キー２のうち開き括弧を含むキーが選択されたことに応じて、第５キー５に開き括弧に対応する閉じ括弧を対応づける。以下、具体例を挙げて説明する。
【００６２】
本実施形態において、図７（ｃ）に示すように、第１キー１９は、第１記号１９Ａとしての「［」を含む。制御部１１０は、開き括弧を含む第１キー１９が選択されたことに応じて、入力フォーム１２１に開き括弧１２３として「［」を含ませるとともに、第５キー５に開き括弧「［」に対応する閉じ括弧「］」をさらに対応づける。従って、制御部１１０は、第５キー５に、複数の記号として、全角の空白記号、半角の空白記号、「変換」、及び「［」に対応する閉じ括弧「］」を対応づける。入力フォーム１２１には、開き括弧「［」の後に、数字の「１２３」が含まれている。
【００６３】
制御部１１０は、図７（ｃ）に示す第３キー３４上での接触及び離間の検出に応じて、図８に示すように、第１キー１に対応づけられている複数の記号の文字体系を、カタカナに切り替える。本実施形態において、第１キー１に対応づけられている複数の記号の文字体系がカタカナに切り替えられた後に、カタカナの「ページ」に対応する第１キー１又は第２キー２が選択される。そして、制御部１１０は、カタカナの「ページ」が入力フォーム１２１に含まれるように、入力フォーム１２１を表示部１２０に表示させる。
【００６４】
第５キー５は、第５キー５に対応づけられている複数の記号のうちの第５記号５Ａとして、全角の空白記号を含む。第５キー５の最下部５Ｂは、第５記号５Ａの下方に位置する。
【００６５】
制御部１１０は、第５キー上での接触の検出に応じて、第６キー６１（第６キー６）、第６キー６２（第６キー６）及び第６キー６３（第６キー６）を表示部１２０に表示させる。第６キー６１は、第６記号６１Ａとして、半角の空白記号を含む。第６キー６２は、第６記号６２Ａとして「変換」を含む。第６キー６３は、第６記号６３Ａとして閉じ括弧の「］」を含む。
【００６６】
第６キー６１の最下部６１Ｂは、第６記号６１Ａの下方に位置する。第６キー６２の最下部６２Ｂは、第６記号６２Ａの下方に位置する。第６キー６３の最下部６３Ｂは、第６記号６３Ａの下方に位置する。第６キー６１の最下部６１Ｂ、第６キー６２の最下部６２Ｂ、及び第６キー６３の最下部６３Ｂは、それぞれ、第５キー５の最下部５Ｂよりも上側に位置する。
【００６７】
以上、図１、図７（ｃ）、及び図８を参照して説明したように、本実施形態によれば、第６キー６の最下部６１Ｂ〜６３Ｂは、それぞれ、第５キー５の最下部５Ｂよりも上側に位置する。従って、第６キー６が指Ｆによって遮蔽されることを防止できる。その結果、操作性が向上する。
【００６８】
また、本実施形態によれば、開き括弧を含むキーが選択されたことに応じて、第５キー５に、開き括弧に対応する閉じ括弧が対応付けられる。従って、キーボード１０に含まれる複数の第１キー１から、開き括弧に対応する閉じ括弧を含む第１キー１を探すことなく、閉じ括弧が対応づけられている第５キー５を選択できる。その結果、入力装置１００の操作性が向上する。
【００６９】
さらに、本実施形態によれば、第５キー５には、入力された開き括弧に対応する閉じ括弧が対応づけられる。また、第１キー１に対応付けられている記号を切り替えるとき、第５キー５に対応づけられている複数の記号は切り替えられない。従って、第１キー１に対応付けられている記号が切り替えられる場合であっても、入力フォーム１２１に直近に入力された開き括弧に対応する閉じ括弧が第５キー５に対応づけられている。その結果、開き括弧に対応する閉じ括弧を含む第１キー１又は第２キー２がキーボード１０に含まれていない場合であっても、第１キー１に対応付けられている記号を切り替える操作を不要とし、閉じ括弧を入力できる。
【００７０】
さらに、本実施形態によれば、第５キー５又は第６キー６には、入力フォーム１２１に直近に入力された開き括弧に対応する閉じ括弧が対応づけられている。従って、第１キー１に対応づけられている複数の記号の文字体系を、数字又は記号と異なる文字体系に切り替え、入力フォーム１２１に数字又は記号と異なる記号が入力された場合であっても、第１キー１に対応付けられている記号を閉じ括弧に切り替える操作を不要とし、入力フォーム１２１に直近に入力された開き括弧に対応する閉じ括弧を入力できる。具体的には、キーボード１０に閉じ括弧が対応付けられた第１キー１を含ませることなく、第５キー５または第６キー６を接触する指Ｆを表示面１２０Ａから離間させる操作だけで、入力フォーム１２１に直近に入力された開き括弧に対応する閉じ括弧を入力できる。その結果、入力装置１００の操作性が向上する。
【００７１】
次に、図１及び図９を参照して、表示部１２０に表示される画像１２４の遷移について説明する。図９（ａ）〜図９（ｃ）は、表示部１２０に表示される画像１２４の遷移を示す。図９（ａ）に示すように、表示面１２０Ａは、第１領域１２１Ａと第２領域１２２Ａとを含む。図９（ａ）〜図９（ｃ）では、理解の便宜のため、破線で第１領域１２１Ａと第２領域１２２Ａとを示しているが、実際には、破線は表示部１２０に表示されていない。本実施形態において、第２領域１２２Ａは、第１領域１２１Ａの上方で第１領域１２１Ａと隣り合っている。第１領域１２１Ａの上下方向に沿った長さＬ４は、第２領域１２２Ａの上下方向に沿った長さＬ５よりも短い。
【００７２】
図９（ｂ）に示すように、入力フォーム１２１上での接触の検出に応じて、表示部１２０は、カーソル１２５を含む画像１２４を表示するとともに、第１領域１２１Ａに第１キー１を含むキーボード１０を表示する。このとき、カーソル１２５は、入力フォーム１２２に含まれるように表示部１２０に表示される。
【００７３】
カーソル１２５が第１領域１２１Ａ内に位置する場合、図９（ｃ）に示すように、制御部１１０は、カーソル１２５が第２領域１２２Ａに位置するように、画像１２４を表示部１２０に表示させる。具体的には、制御部１１０は、カーソル１２５が第２領域１２２Ａに位置するように、画像１２４をスクロールさせて表示部１２０に表示させる。
【００７４】
以上、図１及び図９を参照して説明したように、本実施形態によれば、第１領域１２１Ａに表示されるキーボード１０によって、カーソル１２５が遮蔽されることを防止できる。その結果、操作性が向上する。
【００７５】
以上、図面（図１〜図９）を参照しながら本発明の実施形態について説明した。但し、本発明は、上記の実施形態に限られるものではなく、その要旨を逸脱しない範囲で種々の態様において実施することが可能である（例えば、下記に示す（１）〜（５））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００７６】
（１）図２、図３、及び図５〜図７を参照して説明したように、ユーザーは、被検出物として指Ｆで表示部１２０の表示面１２０Ａを接触したが、被検出物としてタッチペン（図示せず）で表示面１２０Ａを接触してもよい。
【００７７】
（２）図２、図３、及び図５〜図９を参照して説明したように、第１キー１、第３キー３、及び第５キー５は、略矩形状であった。ただし、第１キー１、第３キー３、及び第５キー５のうちの少なくとも１つは、略円形状であってもよいし、略多角形上であってもよい。また、第２キー２、第４キー４、及び第６キー６は、略円形状であった。ただし、第２キー２、第４キー４、及び第６キー６のうちの少なくとも１つは、略矩形状であってもよいし、略多角形状であってもよい。
【００７８】
（３）図２、図３、及び図５〜図９を参照して説明したように、キーボード１０が表示部１２０に表示された。ただし、表示部１２０は、キーボード１０に代えて、ＪＩＳキーボードを表示してもよい。例えば、制御部１１０は、入力フォーム１２１に入力される記号に応じて、キーボード１０又はＪＩＳキーボードを表示部１２０に表示させてもよい。例えば、制御部１１０は、入力フォーム１２１にパスワードが入力される場合に、キーボード１０を表示部１２０に表示させてもよい。また、制御部１１０は、予め、キーボード１０及びＪＩＳキーボードのうちの１つを表示部１２０に表示させるように設定してもよい。また、制御部１１０は、画像１２４に所定数以上の記号が含まれている場合にキーボード１０を表示させてもよい。
【００７９】
（４）図１及び図９を参照して説明したように、カーソル１２５が表示面１２０Ａのうちの第１領域１２１Ａ内に位置する場合、カーソル１２５が第２領域１２２Ａに位置するように、画像１２４を表示部１２０に表示させた。ただし、制御部１１０は、キーボード１０が表示部１２０に表示されることによってカーソル１２５が遮蔽される場合に、カーソル１２５がキーボード１０に遮蔽されないように、画像１２４を移動させてもよい。
【００８０】
（５）図１、図７（ｃ）及び図８を参照して説明したように、第１キー１にカタカナが対応付けられたキーボード１０が第５キー５を含む。ただし、第１キー１にひらがな、ローマ字、アルファベット、数字、又は記号が対応付けられたキーボード１０が第５キー５を含んでもよい。
【産業上の利用可能性】
【００８１】
本発明は、入力装置及び表示方法に関するものであり、産業上の利用可能性を有する。
【符号の説明】
【００８２】
１００    入力装置
１１０    制御部
１２０    表示部
１２０Ａ  表示面
１３０    タッチパネル（検出部）
１        第１キー
１Ａ      第１記号
１Ｂ      最下部（第１キーの最下部）
２        第２キー
２Ａ      第２記号
２Ｂ      最下部（第２キーの最下部）
３        第３キー
４        第４キー
５        第５キー
６        第６キー
Ｆ        指（被検出物）
Ｌ１      距離
Ｌ２      距離
Ｌ３      距離
【図１】
2017204760.tif 000003
【図２】
2017204760.tif 000004
【図３】
2017204760.tif 000005
【図４】
2017204760.tif 000006
【図５】
2017204760.tif 000007
【図６】
2017204760.tif 000008
【図７】
2017204760.tif 000009
【図８】
2017204760.tif 000010
【図９】
2017204760.tif 000011